(57)【要約】【課題】入隅を構成する二つの材に対する入隅側からの釘又はねじを打ち込んでの止め合わせを、釘打機又はねじ打機を利用して容易かつ適切になせるようにする。【解決手段】釘打機１又はねじ打機１’における釘又はねじの打ち出し端部１ａに備えられるガイド２であって、この打ち出し端部１ａよりも前方にガイド先端２ａを位置させると共に、このガイド先端２ａを釘又はねじの打ち出し中心線ｘに対し側方に位置させてなる。【選択図】図１
2011056644.tif 000002
【特許請求の範囲】
【請求項１】
釘打機又はねじ打機における釘又はねじの打ち出し端部に備えられるガイドであって、
この打ち出し端部よりも前方にガイド先端を位置させると共に、このガイド先端を釘又はねじの打ち出し中心線に対し側方に位置させてなることを特徴とする釘打機又はねじ打機用ガイド。
【請求項２】
打ち出し端部の側部に対し、取り外し可能に取り付けられるようになっていることを特徴とする請求項１に記載の釘打機又はねじ打機用ガイド。
【発明の詳細な説明】
【技術分野】
【０００１】
この発明は、釘打機の釘の打ち出し端部又はねじ打機におけるねじの打ち出し端部に備えられて、この釘やねじの打ち込み位置及び打ち込み角度を所定の位置及び角度に規制するガイドに関する。
【背景技術】
【０００２】
圧縮空気などを動力源として装填された釘を射出して材に打ち込む釘打機にあっては、重ね合わせた二つの材に単純にかかる釘を打ち込む際には格別の配慮を払う必要はない。一方、かかる釘打機を利用して入隅Ｃを構成する二つの材Ｗ、Ｗをこの入隅Ｃ側から釘Ｎを打ち込んで止め合わせるに際しては、格別の配慮が必要とされる。すなわち、図４に示されるように、釘打機１００の打ち出し端部１０１（コンタクトノーズなどと称される。）が入隅Ｃに位置づけられてしまうと一方の材Ｗにのみ釘Ｎが打ち込まれ二つの材Ｗ、Ｗの止め合わせがなされないこととなる。（釘Ｎが効いていない状態）こうしたことから現在、図５に示されるように、釘打機１００の打ち出し端部１０１に滑り止めの爪１０２を設けたものも提案されているが、入隅Ｃと打ち出し端部１０１との距離および材Ｗに対する釘Ｎの射出角度は一定にはならない。かかる距離や角度が適切でないと、釘Ｎの先端側が位置される材Ｗに対する釘の打ち込み量を不足させてしまうこととなる。かかる事情はねじ打機においても同様である。
【発明の概要】
【発明が解決しようとする課題】
【０００３】
この発明が解決しようとする主たる問題点は、入隅を構成する二つの材に対する入隅側からの釘又はねじを打ち込んでの止め合わせを、釘打機又はねじ打機を利用して容易かつ適切になせるようにする点にある。
【課題を解決するための手段】
【０００４】
前記課題を達成するために、この発明にあっては、釘打機又はねじ打機用ガイドを、釘打機又はねじ打機における釘又はねじの打ち出し端部に備えられるガイドであって、この打ち出し端部よりも前方にガイド先端を位置させると共に、このガイド先端を釘又はねじの打ち出し中心線に対し側方に位置させてなるものとした。
【０００５】
かかる構成によれば、第一に、かかるガイドのガイド先端と打ち出し端部の双方を材に押し当てるようにすると、打ち出し中心線と材の外面とがなす角度を所定の鋭角に規制することができる。また、第二に、ガイドのガイド先端を接合される二つの材の入隅に位置づけさせたときに、この入隅と打ち出し端部との間に所定の距離を開けることができる。この結果、打ち出し端部から打ち出された釘又はねじが、必ず接合される二つの材の双方に打ち込まれるようにすることができる。
【０００６】
かかるガイドを、前記打ち出し端部の側部に対し、取り外し可能に取り付けられるようにしておけば、重ね合わされた二つの材に単純に釘やねじを打ち込む場合には、ガイドを取り外すことでかかる打ち込みを支障なくなさしめることができる。
【発明の効果】
【０００７】
この発明によれば、入隅を構成する二つの材に対する入隅側からの釘又はねじを打ち込んでの止め合わせを、釘打機又はねじ打機を利用して容易かつ適切になすことができる。
【図面の簡単な説明】
【０００８】
【図１】図１は実施の形態にかかるガイドを利用して入隅側から二つの材に釘又はねじを打ち込む様子を示した平面構成図であり、釘打機又はねじ打機はその打ち出し端部のみを想像線で表して示している。
【図２】図２は実施の形態にかかるガイドを利用して入隅側から二つの材に釘又はねじを打ち込む様子を示した平面構成図であり、釘打機又はねじ打機はその打ち出し端部のみを想像線で表して示している。
【図３】図３はガイドを構成する長さの異なる二本の棒状アダプタを同時にガイド装着部に組み合わせておけるようにして釘打機又はねじ打機を構成させた例をその打ち出し端部を想像線で表して示している。
【図４】図４は従来の釘打機によって入隅を構成する材に釘を適切に打ち込めなかったときの様子を表した平面構成図である。
【図５】図５は従来の釘打機によって入隅を構成する材に釘を打ち込んだときの様子を表した平面構成図である。
【発明を実施するための形態】
【０００９】
以下、図１〜図３に基づいて、この発明の典型的な実施の形態について説明する。この実施の形態にかかるガイド２は、釘打機１の釘の打ち出し端部１ａ又はねじ打機１’におけるねじの打ち出し端部１ａに備えられて、この釘やねじの打ち込み位置及び打ち込み角度を所定の位置及び角度に規制するものである。
【００１０】
すなわち、かかるガイド２は、建物を構成する梁などの構造材同士、典型的には二つの木材を一方の木材の長さ方向に対し他方の木材の長さ方向が交叉する向きとなるように一方の木材の側部に他方の木材の端部を接合させるときに、この接合箇所に形成される入隅Ｃ側から打ち込まれる釘やねじの打ち込み位置及び打ち込み角度を所定の位置及び角度に規制するものである。
【００１１】
前記釘打機１又はねじ打機１’としては、圧縮空気などを動力源として打ち出し端部１ａ（コンタクトノーズなどと称される。）を材Ｗに押し当てた状態からトリガを引くことでこの打ち出し端部１ａから釘又はねじを射出して材Ｗに打ち込むものを予定するものである。
【００１２】
かかるガイド２は、前記打ち出し端部１ａよりも前方にガイド先端２ａを位置させると共に、このガイド先端２ａを釘又はねじの打ち出し中心線ｘに対し側方に位置させるようになっている。ガイド２はかかる条件を満たすものであれば足り、その具体的な形状は必要に応じて選択して構わない。
【００１３】
これにより、第一に、かかるガイド２のガイド先端２ａと打ち出し端部１ａの双方を材Ｗに押し当てるようにすると、打ち出し中心線ｘと材Ｗの外面Ｗａとがなす角度θを所定の鋭角に規制することができる。また、第二に、ガイド２のガイド先端２ａを接合される二つの材Ｗ、Ｗの入隅Ｃに位置づけさせたときに、この入隅Ｃと打ち出し端部１ａとの間に所定の距離を開けることができる。この結果、打ち出し端部１ａから打ち出された釘又はねじが、必ず接合される二つの材Ｗ、Ｗの双方に打ち込まれるようにすることができる。
【００１４】
典型的には、釘の長さが９０ｍｍである場合には、前記所定の鋭角が３０度〜４０度となるようにすることが好ましく、また、この場合には、前記ガイド先端２ａと打ち出し中心線ｘとの間の距離ｙを１３〜１８ｍｍの範囲とし、かつ、かかるガイド先端２ａと打ち出し端部１ａの端末との間の距離ｚを１８〜２８ｍｍの範囲とすることが好ましい。
【００１５】
また、この実施の形態にあっては、かかるガイド２は、前記打ち出し端部１ａの側部に対し、取り外し可能に取り付けられるようになっている。これによりこの実施の形態にあっては、重ね合わされた二つの材Ｗ、Ｗに単純に釘やねじを打ち込む場合には、ガイド２を取り外すことでかかる打ち込みを支障なくなさしめることができる。
【００１６】
図示の例では、かかるガイド２は、一端をガイド先端２ａとした棒状アダプタ２ｂによって構成されている。かかる棒状アダプタ２ｂのガイド先端２ａ側における打ち出し中心線ｘ側に位置される側部と反対の側部は、ガイド先端２ａに向かうに連れて次第にガイド２を細める傾斜面２ｃが形成されており、この傾斜面２ｃによって入隅Ｃにガイド先端２ａを無理なく位置づけできるようにしてある。図示の例では、打ち出し端部１ａの側部に前記打ち出し中心線ｘに対し直交する向きに突き出すガイド装着部１ｂが一体に形成されており、このガイド装着部１ｂを利用して打ち出し端部１ａに取り外し可能に棒状アダプタ２ｂが取り付けられるようになっている。かかるガイド装着部１ｂには、前方に孔口を向けた有底孔１ｃが形成されており、棒状アダプタ２ｂの他端側をこの有底孔１ｃに挿入することで打ち出し端部１ａに前記のようにガイド２が備えられるようになっている。
【００１７】
図示の例では、長さの異なる二種類の棒状アダプタ２ｂからガイド２を構成させている。長い方の棒状アダプタ２ｂをガイド装着部１ｂに装着させれば前記打ち出し中心線ｘと材Ｗの外面Ｗａとがなす角度θは小さくなり、かつ、入隅Ｃと打ち出し端部１ａとの間の距離は大きくなる。（図１）一方、短い方の棒状アダプタ２ｂをガイド装着部１ｂに装着させれば前記打ち出し中心線ｘと材Ｗの外面Ｗａとがなす角度θは大きくなり、かつ、入隅Ｃと打ち出し端部１ａとの間の距離は小さくなる。（図２）図示は省略するが、長さの異なる三種類以上の棒状アダプタ２ｂからガイド２を構成するようにしても構わない。
【００１８】
図３は、前記ガイド装着部１ｂに打ち出し中心線ｘに近い第一の有底孔１ｃ’と、これより外側に第二の有底孔１ｃ”を設け、この二つの有底孔１ｃ’、１ｃ”を利用して長さの異なる二種類の棒状アダプタ２ｂを打ち出し端部１ａに同時に組み合わせておけるようにした例を示している。この例では、必要に応じて、いずれかの棒状アダプタ２ｂのみを選択してその他端側を第一の有底孔１ｃ’に挿入することで図１及び図２のような釘又はねじの打ち込み位置及び角度の規制ができるようなっている。
【符号の説明】
【００１９】
１  釘打機
１’  ねじ打機
１ａ  打ち出し端部
２  ガイド
２ａ  ガイド先端
ｘ  打ち出し中心線
【図１】
2011056644.tif 000003
【図２】
2011056644.tif 000004
【図３】
2011056644.tif 000005
【図４】
2011056644.tif 000006
【図５】
2011056644.tif 000007